(57)【要約】【課題】記憶媒体の再生を開始する場合に、デ−タに関連する情報をデ−タベ−スに登録する必要がある場合でも、最初のデ−タの再生を早く開始させることができ、再生開始までの待ち時間を大幅に短縮して、使用者に待ち時間を気にさせることのない快適な再生を行うことのできる再生装置を提供すること。【解決手段】記憶媒体に記憶されているデ−タを再生する再生手段１２と、記憶媒体からデ−タに関連する情報を読み込み、収納媒体ＤＢ１５ａに登録する第１の情報登録手段と、新たな記憶媒体の収納又は選択操作を検知して、記憶媒体の再生を開始する再生開始手段とを備えた再生装置１０において、第１の情報登録手段が、再生開始手段により新たな記憶媒体の収納又は選択操作が検知されると、記憶媒体から最初に再生されるデ−タに関連する情報を読み込み、収納媒体ＤＢ１５ａに登録した後、最初に再生されるデ−タの再生を開始させ、再生中に残りのデ−タに関連する情報を読み込み、収納媒体ＤＢ１５ａに登録する。【選択図】  図１
2004259307.tif 000002
【特許請求の範囲】
【請求項１】
少なくとも１つ以上の記憶媒体を収納することができ、該記憶媒体に記憶されているデ−タを再生する再生手段と、
前記記憶媒体から前記デ−タに関連する情報を読み込み、該情報をデ−タベ−スに登録する第１の情報登録手段と、
新たな記憶媒体の収納又は選択操作を検知して、該記憶媒体の再生を開始する再生開始手段とを備えた再生装置において、
前記第１の情報登録手段が、
前記再生開始手段により新たな記憶媒体の収納又は選択操作が検知されると、該記憶媒体から最初に再生されるデ−タに関連する情報を読み込み、該情報を前記デ−タベ−スに登録した後、最初に再生されるデ−タの再生を開始させ、再生中に残りのデ−タに関連する情報を読み込み、前記デ−タベ−スに登録していくものであることを特徴とする再生装置。
【請求項２】
少なくとも１つ以上の記憶媒体を収納することができ、該記憶媒体に記憶されているデ−タを再生する再生手段と、
前記記憶媒体から前記デ−タに関連する情報を読み込み、該情報をデ−タベ−スに登録する第２の情報登録手段と、
新たな記憶媒体の収納又は選択操作を検知して、該記憶媒体の再生を開始する再生開始手段とを備えた再生装置において、
前記第２の情報登録手段が、
前記再生開始手段により新たな記憶媒体の収納又は選択操作が検知されると、該記憶媒体から最初に再生されるデ−タを含む所定個数のデ−タに関連する情報を読み込み、該情報を前記デ−タベ−スに登録した後、最初に再生されるデ−タの再生を開始させ、再生中に残りのデ−タに関連する情報を読み込み、前記デ−タベ−スに登録していくものであることを特徴とする再生装置。
【請求項３】
前記デ−タべ−スに登録された情報に基づいて前記デ−タの検索や選択等のデ−タ処理を行うデ−タ処理手段を備え、
前記第１の情報登録手段が、
前記デ−タべ−スへの情報登録が完了していないときに前記デ−タ処理の要求があった場合、未登録情報の前記デ−タベ−スへの登録を優先して完了させる優先登録手段を備えていることを特徴とする請求項１記載の再生装置。
【請求項４】
前記デ−タべ−スに登録された情報に基づいて前記デ−タの検索や選択等のデ−タ処理を行うデ−タ処理手段を備え、
前記第２の情報登録手段が、
前記デ−タべ−スへの情報登録が完了していないときに前記デ−タ処理の要求があった場合、未登録情報の前記デ−タベ−スへの登録を優先して完了させる優先登録手段を備えていることを特徴とする請求項２記載の再生装置。
【請求項５】
少なくとも１つ以上の記憶媒体を収納することができ、該記憶媒体に記憶されているデ−タを再生する再生手段と、
前記記憶媒体から該記憶媒体及び／又は前記デ−タの識別情報を読み込み、該識別情報に基づいて他の情報源から前記デ−タに関連する情報を取得し、該情報をデ−タベ−スに登録する第３の情報登録手段と、
新たな記憶媒体の収納又は選択操作を検知すると、該記憶媒体の再生を開始する再生開始手段とを備えた再生装置において、
前記第３の情報登録手段が、
前記再生開始手段により新たな記憶媒体の収納又は選択操作が検知されると、前記他の情報源から最初に再生されるデ−タに関連する情報を取得するために必要な識別情報を前記記憶媒体から読み込み、前記識別情報に基づいて前記他の情報源から少なくとも最初に再生されるデ−タに関連する情報を取得し、該情報を前記デ−タベ−スに登録した後、最初に再生されるデ−タの再生を開始させ、再生中に残りのデ−タに関連する情報の取得、又は残りの識別情報の読み込みと残りのデ−タに関連する情報の取得とを行い、前記デ−タベ−スに登録していくものであることを特徴とする再生装置。
【請求項６】
少なくとも１つ以上の記憶媒体を収納することができ、該記憶媒体に記憶されているデ−タを再生する再生手段と、
前記記憶媒体から該記憶媒体及び／又は前記デ−タの識別情報を読み込み、該識別情報に基づいて他の情報源から前記デ−タに関連する情報を取得し、該情報をデ−タベ−スに登録する第４の情報登録手段と、
新たな記憶媒体の収納又は選択操作を検知すると、該記憶媒体の再生を開始する再生開始手段とを備えた再生装置において、
前記第４の情報登録手段が、
前記再生開始手段により新たな記憶媒体の収納又は選択操作が検知されると、前記他の情報源から最初に再生されるデ−タを含む所定個数のデ−タに関連する情報を取得するために必要な識別情報を前記記憶媒体から読み込み、前記識別情報に基づいて前記他の情報源から少なくとも前記所定個数のデ−タに関連する情報を取得し、該情報を前記デ−タベ−スに登録した後、最初に再生されるデ−タの再生を開始させ、再生中に残りのデ−タに関連する情報の取得、又は残りの識別情報の読み込みと残りのデ−タに関連する情報の取得とを行い、前記デ−タベ−スに登録していくものであることを特徴とする再生装置。
【請求項７】
前記デ−タべ−スに登録された情報に基づいて前記デ−タの検索又は選択等のデ−タ処理を行うデ−タ処理手段を備え、
前記第３の情報記憶手段が、
前記デ−タべ−スへの情報登録が完了していないときに前記デ−タ処理の要求があった場合、未登録情報の前記デ−タベ−スへの登録を優先して完了させる優先登録手段を備えていることを特徴とする請求項５記載の再生装置。
【請求項８】
前記デ−タべ−スに登録された情報に基づいて前記デ−タの検索又は選択等のデ−タ処理を行うデ−タ処理手段を備え、
前記第４の情報記憶手段が、
前記デ−タべ−スへの情報登録が完了していないときに前記デ−タ処理の要求があった場合、未登録情報の前記デ−タベ−スへの登録を優先して完了させる優先登録手段を備えていることを特徴とする請求項６記載の再生装置。
【請求項９】
前記記憶媒体が排出された場合に、前記デ−タベ−スに登録された前記記憶媒体の情報を利用できないように一時無効にする無効設定手段と、
同一の記憶媒体が再度収納された場合に、前記一時無効を解除する無効解除手段とを備えていることを特徴とする請求項１〜８のいずれかの項に記載の再生装置。
【請求項１０】
前記記憶媒体が収納された日時デ−タを記憶する収納日時記憶手段と、
該収納日時記憶手段により記憶された日時デ−タに基づいて、収納された日時デ−タの古い記憶媒体の情報から削除する第１の情報削除手段とを備えていることを特徴とする請求項９記載の再生装置。
【請求項１１】
前記記憶媒体が収納された日時デ−タと回数デ−タとを記憶する収納日時・回数記憶手段と、
該収納日時・回数記憶手段により記憶された日時デ−タと回数デ−タとに基づいて、収納された日時が古く、かつ収納回数の少ない記憶媒体の情報から削除する第２の情報削除手段とを備えていることを特徴とする請求項９記載の再生装置。
【請求項１２】
前記記憶媒体が収納された回数デ−タを記憶する収納回数記憶手段を備え、
該収納回数記憶手段により記憶された収納回数が所定回数以上である場合、前記デ−タベ−スに登録された前記記憶媒体の情報を削除せず、前記収納回数が所定回数未満である場合、前記記憶媒体の情報を削除する第３の情報削除手段を備えていることを特徴とする請求項９記載の再生装置。
【発明の詳細な説明】
【０００１】
【発明の属する技術分野】
本発明は再生装置に関し、より詳細には記憶媒体に記憶されているデ−タに関連する情報をデ−タベ−スに登録し、該デ−タべ−スに登録された前記情報を種々のデ−タ処理時に利用することのできる再生装置に関する。
【０００２】
【従来の技術】
従来より、コンパクトディスク（ＣＤ）やミニディスク（ＭＤ）さらにハ−ドディスクドライブ（ＨＤＤ）等の種類の異なる記憶媒体に記憶されている音楽デ−タを再生することのできる再生装置が知られている。このような数種類の再生プレ−ヤが搭載された再生装置では、各再生プレ−ヤに収納されている記憶媒体にどのような音楽デ−タが記憶されているのかを使用者に簡単に把握させるようにすることが再生操作や選曲操作の面から強く望まれている。
【０００３】
そこで、近年の再生装置には、ＣＤやＭＤ等から読み取ったＴＯＣ情報に基づいて、数十万曲の曲情報（曲タイトル名、ア−ティスト名、アルバム名等）が予め登録されている曲情報デ−タベ−ス（例えばＣＤＤＢなどの情報源）から収納されたＣＤやＭＤの音楽デ−タに関連する情報（例えば、タイトル名、ア−ティスト名、アルバム名等）を取得し、取得したこれらの情報を別途収納媒体デ−タベ−スに登録する機能を備えているものが知られている。
【０００４】
このような再生装置によれば、音楽デ−タの再生時に収納媒体デ−タベ−スに登録された前記音楽デ−タに関連する情報を読み出し、ディスプレイに表示させたり、ＣＤやＭＤ内の曲の検索や選択操作が検出されると、収納されているＣＤやＭＤの曲情報を一覧リストにしてディスプレイに表示させたりすることができるようになっている。
【０００５】
また、近年では、パソコン等からネットワ−クを介して音楽デ−タをダウンロ−ドすることが手軽に行えるようになってきている。音楽配信サ−バからネットワ−クを介して音楽デ−タをダウンロ−ドする場合、音楽デ−タは所定の音楽ファイル形式（例えば、ＭＰ３（ＭＰｅｇ  ａｕｄｉｏ  ｌａｙｅｒ  ３）  形式、ＷＭＡ（Ｗｉｎｄｏｗｓ  Ｍｅｄｉａ  Ａｕｄｉｏ  ）形式等）で圧縮されて配信される場合が多く、このような圧縮された音楽ファイル、例えば、ＭＰ３形式の音楽ファイルであれば、１枚のＣＤ−Ｒに一般的な音楽ＣＤの１０倍相当、約１００曲程度記憶させることができるようになっている。
【０００６】
また、ＭＰ３形式等の音楽ファイルには、その音楽デ−タ（曲）のタイトル名、ア−ティスト名、アルバム名などの音楽デ−タに関連する情報（例えば、ＭＰ３ファイルにおけるＩＤ３タグ）を付加させることができるようになっている。
【０００７】
近年の再生装置には、例えばＭＰ３形式の音楽ファイルが記憶されたＣＤ−Ｒや半導体メモリ等の記憶媒体を再生可能なプレ−ヤを備えているものも多くなってきている。このような再生装置では、ＭＰ３ファイルに付加されたＩＤ３タグを読み込み、該ＩＤ３タグに含まれている音楽デ−タに関連する情報を収納媒体デ−タベ−スに登録する機能が装備されており、登録された情報をＭＰ３ファイルの再生時にディスプレイに表示させたり、音楽ファイルの選択や検索時に音楽デ−タの一覧リストをディスプレイに表示させたりすることができるようになっている。
【０００８】
上記した再生装置では、通常ＣＤ、ＭＤ、ＣＤ−Ｒ、半導体メモリ等の記憶媒体の収納が新たに検知されたときに、まず、これらの記憶媒体に記憶されている全ての音楽デ−タに関連する情報（上記した曲情報デ−タベ−スから取得した情報や、音楽ファイルに付加された（例えば、ＩＤ３タグに記録された）情報）を収納媒体デ−タべ−スに登録する処理が行われるようになっている（例えば下記の特許文献１参照）。
【０００９】
【特許文献１】
特開２００２−５１３８７号公報
【００１０】
【発明が解決しようとする課題】
上記した従来の再生装置によれば、新たな記憶媒体の収納又は所定の選択操作が検知されると、自動的に音楽デ−タの再生処理に移るようになっているが、記憶媒体の全ての音楽デ−タに関連する情報が収納媒体デ−タベ−スに登録されるまで、１曲目の再生に移ることができないようになっている。このため、新たに収納された記憶媒体が、例えば、音楽ＣＤであれば、約１０曲分の音楽デ−タに関連する情報が収納媒体デ−タベ−スに登録されるまで、またＭＰ３ファイルが１００曲分記憶されたＣＤ−Ｒであれば、１００曲分の音楽デ−タに関連する情報が収納媒体デ−タべ−スに登録されるまで、最初の曲（１曲目）の再生が開始されず、最初の曲の再生が開始されるまでに数秒から場合によっては数分も待ち時間が生じることとなり、再生開始までの応答性が悪い。このように従来の再生装置では使用者に待ち時間を気にさせない快適な再生を行うことができないという課題があった。
【００１１】
本発明は上記課題に鑑みなされたものであって、記憶媒体の再生を開始する場合に、前記記憶媒体に記憶されているデ−タに関連する情報を別途デ−タベ−スに登録する必要がある場合でも、最初のデ−タの再生を早く開始させることができ、再生開始までの待ち時間を大幅に短縮して、使用者に待ち時間を気にさせることのない快適な再生を行うことのできる再生装置を提供することを目的としている。
【００１２】
【課題を解決するための手段及びその効果】
上記目的を達成するために本発明に係る再生装置（１）は、少なくとも１つ以上の記憶媒体を収納することができ、該記憶媒体に記憶されているデ−タを再生する再生手段と、前記記憶媒体から前記デ−タに関連する情報を読み込み、該情報をデ−タベ−スに登録する第１の情報登録手段と、新たな記憶媒体の収納又は選択操作を検知して、該記憶媒体の再生を開始する再生開始手段とを備えた再生装置において、前記第１の情報登録手段が、前記再生開始手段により新たな記憶媒体の収納又は選択操作が検知されると、該記憶媒体から最初に再生されるデ−タに関連する情報を読み込み、該情報を前記デ−タベ−スに登録した後、最初に再生されるデ−タの再生を開始させ、再生中に残りのデ−タに関連する情報を読み込み、前記デ−タベ−スに登録していくものであることを特徴としている。
【００１３】
上記再生装置（１）によれば、前記再生開始手段により新たな記憶媒体の収納又は選択操作が検知されると、前記記憶媒体から最初に再生されるデ−タに関連する情報を読み込み、該情報を前記デ−タベ−スに登録した後、最初に再生されるデ−タの再生が開始されるので、新たな記憶媒体の検知後、最初に再生されるデ−タの再生をすぐに開始させることができる。
したがって、従来、再生を開始する場合に前記情報を前記デ−タべ−スへ登録するために生じていた再生開始までの待ち時間を大幅に短縮することができ（特に、前記記憶媒体に記憶されている前記デ−タの数が増えるほど、従来と比べて再生開始までの待ち時間を短縮する効果は大きくなる）、使用者に待ち時間を気にさせることのない快適な再生を行うことができる。
また、再生中に残りのデ−タに関連する情報を読み込み、前記デ−タベ−スに登録していくようになっているので、前記デ−タの再生を中断することなく残りのデ−タに関連する情報を前記デ−タベ−スに効率良く登録していくことができる。
【００１４】
なお、前記再生開始手段には、新たな記憶媒体の収納を検知した場合のみ該記憶媒体の再生を開始するもの、新たな記憶媒体の選択操作を検知した場合のみ該記憶媒体の再生を開始するもの、又は新たな記憶媒体の収納を検知した場合と選択操作を検知した場合のいずれの場合においても前記記憶媒体の再生を開始するものを採用することができる。
【００１５】
また本発明に係る再生装置（２）は、少なくとも１つ以上の記憶媒体を収納することができ、該記憶媒体に記憶されているデ−タを再生する再生手段と、前記記憶媒体から前記デ−タに関連する情報を読み込み、該情報をデ−タベ−スに登録する第２の情報登録手段と、新たな記憶媒体の収納又は選択操作を検知して、該記憶媒体の再生を開始する再生開始手段とを備えた再生装置において、前記第２の情報登録手段が、前記再生開始手段により新たな記憶媒体の収納又は選択操作が検知されると、該記憶媒体から最初に再生されるデ−タを含む所定個数のデ−タに関連する情報を読み込み、該情報を前記デ−タベ−スに登録した後、最初に再生されるデ−タの再生を開始させ、再生中に残りのデ−タに関連する情報を読み込み、前記デ−タベ−スに登録していくものであることを特徴としている。
【００１６】
上記再生装置（２）によれば、前記再生開始手段により新たな記憶媒体の収納又は選択操作が検知されると、該記憶媒体から最初に再生されるデ−タを含む所定個数のデ−タに関連する情報を読み込み、該情報を前記デ−タベ−スに登録した後、最初に再生されるデ−タの再生が開始されるので、上記再生装置（１）と略同様の効果を得ることができるとともに、前記情報を全て読み込むまでの読み込み回数や、前記デ−タベ−スへの登録回数を少なくすることができ、読込処理や登録処理による負担を軽減させることができる。
【００１７】
また本発明に係る再生装置（３）は、上記再生装置（１）において、前記デ−タべ−スに登録された情報に基づいて前記デ−タの検索や選択等のデ−タ処理を行うデ−タ処理手段を備え、前記第１の情報登録手段が、前記デ−タべ−スへの情報登録が完了していないときに前記デ−タ処理の要求があった場合、未登録情報の前記デ−タベ−スへの登録を優先して完了させる優先登録手段を備えていることを特徴としている。
【００１８】
上記再生装置（３）によれば、前記デ−タべ−スへの情報登録が完了していないときに前記デ−タ処理の要求があった場合、前記優先登録手段により前記未登録情報の前記デ−タベ−スへの登録が優先して行われるので、前記記憶媒体に記憶されている全てのデ−タに関連する情報が前記デ−タベ−スに登録された状態で前記デ−タ処理を行うことができ、前記記憶媒体に記憶されている情報と前記デ−タベ−スに登録された情報とが一致した整合性の高いデ−タ処理を行うことができる。
【００１９】
また本発明に係る再生装置（４）は、上記再生装置（２）において、前記デ−タべ−スに登録された情報に基づいて前記デ−タの検索や選択等のデ−タ処理を行うデ−タ処理手段を備え、前記第２の情報登録手段が、前記デ−タべ−スへの情報登録が完了していないときに前記デ−タ処理の要求があった場合、未登録情報の前記デ−タベ−スへの登録を優先して完了させる優先登録手段を備えていることを特徴としている。
上記再生装置（４）によれば、上記再生装置（３）と略同様の効果を得ることができる。
【００２０】
また本発明に係る再生装置（５）は、少なくとも１つ以上の記憶媒体を収納することができ、該記憶媒体に記憶されているデ−タを再生する再生手段と、前記記憶媒体から該記憶媒体及び／又は前記デ−タの識別情報を読み込み、該識別情報に基づいて他の情報源から前記デ−タに関連する情報を取得し、該情報をデ−タベ−スに登録する第３の情報登録手段と、新たな記憶媒体の収納又は選択操作を検知すると、該記憶媒体の再生を開始する再生開始手段とを備えた再生装置において、前記第３の情報登録手段が、前記再生開始手段により新たな記憶媒体の収納又は選択操作が検知されると、前記他の情報源から最初に再生されるデ−タに関連する情報を取得するために必要な識別情報を前記記憶媒体から読み込み、前記識別情報に基づいて前記他の情報源から少なくとも最初に再生されるデ−タに関連する情報を取得し、該情報を前記デ−タベ−スに登録した後、最初に再生されるデ−タの再生を開始させ、再生中に残りのデ−タに関連する情報の取得、又は残りの識別情報の読み込みと残りのデ−タに関連する情報の取得とを行い、前記デ−タベ−スに登録していくものであることを特徴としている。
【００２１】
上記再生装置（５）によれば、前記再生開始手段により新たな記憶媒体の収納又は選択操作が検知されると、前記他の情報源から最初に再生されるデ−タに関連する情報を取得するために必要な識別情報を前記記憶媒体から読み込み、前記識別情報に基づいて前記他の情報源から少なくとも最初に再生されるデ−タに関連する情報を取得し、該情報を前記デ−タベ−スに登録した後、最初に再生されるデ−タの再生が開始されるので、新たな記憶媒体の検知後、最初に再生されるデ−タの再生をすぐに開始させることができる。
【００２２】
したがって、従来、再生を開始する場合に前記情報を前記他の情報源から前記デ−タべ−スへ登録するために生じていた再生開始までの待ち時間を大幅に短縮させることができ（特に、前記記憶媒体に記憶されている前記デ−タの数が増えるほど、従来と比べて再生開始までの待ち時間を短縮する効果は大きくなる）、使用者に待ち時間を気にさせることのない快適な再生を行うことができる。
【００２３】
また、再生中に残りのデ−タに関連する情報の取得、又は残りの識別情報の読み込みと残りのデ−タに関連する情報の取得とを行い、前記デ−タベ−スに登録していくようになっているので、前記デ−タの再生を中断することなく残りのデ−タに関連する情報を前記デ−タベ−スに効率良く登録していくことができる。
【００２４】
また本発明に係る再生装置（６）は、少なくとも１つ以上の記憶媒体を収納することができ、該記憶媒体に記憶されているデ−タを再生する再生手段と、前記記憶媒体から該記憶媒体及び／又は前記デ−タの識別情報を読み込み、該識別情報に基づいて他の情報源から前記デ−タに関連する情報を取得し、該情報をデ−タベ−スに登録する第４の情報登録手段と、新たな記憶媒体の収納又は選択操作を検知すると、該記憶媒体の再生を開始する再生開始手段とを備えた再生装置において、前記第４の情報登録手段が、前記再生開始手段により新たな記憶媒体の収納又は選択操作が検知されると、前記他の情報源から最初に再生されるデ−タを含む所定個数のデ−タに関連する情報を取得するために必要な識別情報を前記記憶媒体から読み込み、前記識別情報に基づいて前記他の情報源から少なくとも前記所定個数のデ−タに関連する情報を取得し、該情報を前記デ−タベ−スに登録した後、最初に再生されるデ−タの再生を開始させ、再生中に残りのデ−タに関連する情報の取得、又は残りの識別情報の読み込みと残りのデ−タに関連する情報の取得とを行い、前記デ−タベ−スに登録していくものであることを特徴としている。
【００２５】
上記再生装置（６）によれば、前記再生開始手段により新たな記憶媒体の収納又は選択操作が検知されると、前記他の情報源から最初に再生されるデ−タを含む所定個数のデ−タに関連する情報を取得するために必要な識別情報を前記記憶媒体から読み込み、前記識別情報に基づいて前記他の情報源から少なくとも前記所定個数のデ−タに関連する情報を取得し、該情報を前記デ−タベ−スに登録した後、最初に再生されるデ−タの再生が開始されるので、上記再生装置（５）と略同様の効果を得ることができるとともに、前記記憶媒体から前記識別情報を全て読み込むまでの読み込み回数や、前記他の情報源からの前記情報の取得回数や、前記デ−タベ−スへの登録回数を少なくすることができ、読込処理、取得処理及び登録処理による負担を低減させることができる。
【００２６】
また本発明に係る再生装置（７）は、上記再生装置（５）において、前記デ−タべ−スに登録された情報に基づいて前記デ−タの検索又は選択等のデ−タ処理を行うデ−タ処理手段を備え、前記第３の情報記憶手段が、前記デ−タべ−スへの情報登録が完了していないときに前記デ−タ処理の要求があった場合、未登録情報の前記デ−タベ−スへの登録を優先して完了させる優先登録手段を備えていることを特徴としている。
【００２７】
上記再生装置（７）によれば、前記デ−タべ−スへの情報登録が完了していないときに前記デ−タ処理の要求があった場合、前記優先登録手段により前記未登録情報の前記デ−タベ−スへの登録が優先して行われるので、前記記憶媒体に記憶されている全てのデ−タに関連する情報が前記デ−タベ−スに登録された状態で前記デ−タ処理を行うことができ、前記記憶媒体に記憶されている情報と前記デ−タベ−スに登録された情報とが一致した整合性の高いデ−タ処理を行うことができる。
【００２８】
また本発明に係る再生装置（８）は、上記再生装置（６）において、前記デ−タべ−スに登録された情報に基づいて前記デ−タの検索又は選択等のデ−タ処理を行うデ−タ処理手段を備え、前記第４の情報記憶手段が、前記デ−タべ−スへの情報登録が完了していないときに前記デ−タ処理の要求があった場合、未登録情報の前記デ−タベ−スへの登録を優先して完了させる優先登録手段を備えていることを特徴としている。
上記再生装置（８）によれば、上記再生装置（７）と略同様な効果を得ることができる。
【００２９】
また本発明に係る再生装置（９）は、上記再生装置（１）〜（８）のいずれかにおいて、前記記憶媒体が排出された場合に、前記デ−タベ−スに登録された前記記憶媒体の情報を利用できないように一時無効にする無効設定手段と、同一の記憶媒体が再度収納された場合に、前記一時無効を解除する無効解除手段とを備えていることを特徴としている。
【００３０】
上記再生装置（９）によれば、前記記憶媒体が排出された場合に、前記デ−タベ−スに登録された情報は削除せず、前記記憶媒体の情報を利用できないように一時無効にして、同一の記憶媒体が再度収納された場合に、前記一時無効を解除することにより、前記記憶媒体が収納される度に該記憶媒体の情報を前記デ−タベ−スに登録したり、前記記憶媒体が排出される度に前記デ−タベ−スから前記記憶媒体の情報を削除したりする必要がなくなるので、前記情報を前記デ−タべ−スに登録するための前記記憶媒体へのアクセス数やアクセス時間を大幅に減らすことができ、登録処理や削除処理による負担を低減させることができる。
【００３１】
また本発明に係る再生装置（１０）は、上記再生装置（９）において、前記記憶媒体が収納された日時デ−タを記憶する収納日時記憶手段と、該収納日時記憶手段により記憶された日時デ−タに基づいて、収納された日時デ−タの古い記憶媒体の情報から削除する第１の情報削除手段とを備えていることを特徴としている。
【００３２】
上記再生装置（１０）によれば、多数の記憶媒体の情報を登録する場合でも前記デ−タベ−スの記憶領域に空き領域を確保することができ、新しく収納される記憶媒体の情報を継続して登録していくことができる。また、収納された日時デ−タの古い、すなわち、再度利用される可能性の低い記憶媒体の情報から削除していくことができ、前記記憶媒体の収納状況を加味した情報削除を行うことができる。
【００３３】
また本発明に係る再生装置（１１）は、上記再生装置（９）において、前記記憶媒体が収納された日時デ−タと回数デ−タとを記憶する収納日時・回数記憶手段と、該収納日時・回数記憶手段により記憶された日時デ−タと回数デ−タとに基づいて、収納された日時が古く、かつ収納回数の少ない記憶媒体の情報から削除する第２の情報削除手段とを備えていることを特徴としている。
【００３４】
上記再生装置（１１）によれば、多数の記憶媒体の情報を登録する場合でも前記デ−タベ−スの記憶領域に空き領域を確保することができ、新しく収納される記憶媒体の情報を継続して登録していくことができる。また、収納された日時が古く、かつ収納回数の少ない記憶媒体の情報から削除されるので、収納された日時デ−タが古い記憶媒体が複数存在する場合でも、その中から収納回数の少ない、すなわち、より再利用される可能性の低い記憶媒体の情報から削除していくことができる。
【００３５】
また本発明に係る再生装置（１２）は、上記再生装置（９）において、前記記憶媒体が収納された回数デ−タを記憶する収納回数記憶手段を備え、該収納回数記憶手段により記憶された収納回数が所定回数以上である場合、前記デ−タベ−スに登録された前記記憶媒体の情報を削除せず、前記収納回数が所定回数未満である場合、前記記憶媒体の情報を削除する第３の情報削除手段を備えていることを特徴としている。
【００３６】
上記再生装置（１２）によれば、前記収納回数が少ない記憶媒体の情報を前記デ−タベ−スに登録しておいても、再度利用される頻度が少なく、前記デ−タべ−スの記憶領域が無駄に使用されることとなるため、前記収納回数が所定回数以上である記憶媒体の情報のみ前記デ−タベ−スから削除せず、前記一時無効にしたり、該一時無効を解除したりすることができるようにし、所定回数未満である記憶媒体の情報は削除することにより、前記デ−タベ−スの記憶領域を効率よく使用することができる。
【００３７】
【発明の実施の形態】
以下、本発明に係る再生装置の実施の形態を図面に基づいて説明する。図１は、実施の形態（１）に係る再生装置の要部を概略的に示したブロック図である。
【００３８】
ＣＤプレ−ヤ（再生手段）１２がマイクロコンピュ−タ（以下マイコンと記す）１１に接続されており、ＣＤプレ−ヤ１２は、マイコン１１からの制御信号に基づいて、複数の音楽デ−タが所定の音楽ファイル形式（例えば、ＭＰ３、ＷＭＡ形式等）に圧縮されて記憶されているＣＤ−Ｒ（記憶媒体の一例）１３から再生する音楽デ−タを読み出し、該音楽デ−タを再生する処理、すなわち、読み出した圧縮デ−タを展開して、ディジタル信号処理を行い、ディジタルの音楽デ−タをアナログ信号に変換してスピ−カ１４から出力する処理を行う。
【００３９】
なお、ＣＤプレ−ヤ１２は、数倍速から数十倍速の読み出し速度を有する読出手段（図示せず）を備えており、該読出手段により読み出された音楽デ−タは、再生バッファ１２ａに一時記憶され、再生バッファ１２ａから音楽デ−タを順次読み出しながら再生処理が行われるようになっている。
【００４０】
そして、所定タイミング（例えば、再生バッファ１２ａ内の音楽デ−タが所定デ−タ量以下になるタイミング）で、ＣＤ−Ｒ１３に再アクセスし、続きの音楽デ−タを読み出して、再生バッファ１２ａに記憶する処理が繰り返し行われるようになっている。
【００４１】
また、ＣＤ−Ｒ１３に記憶されている各音楽ファイルには、圧縮された音楽デ−タの他に該音楽デ−タに関連する情報（例えば、タイトル名、ア−ティスト名、アルバム名、ジャンル等）が含まれており、ＣＤプレ−ヤ１２は、マイコン１１からの制御信号に基づいて、ＣＤ−Ｒ１３から音楽デ−タに関連する情報を読み出してマイコン１１に出力する処理を行うようになっている。なお、ＭＰ３形式の音楽ファイルでは、音楽デ−タに関連する情報がＩＤ３タグと呼ばれているデ−タ領域に書き込まれるようになっている。
【００４２】
また、デ−タの書き換え可能な不揮発性メモリ（例えば、ＨＤＤやＦＬＡＳＨＲＯＭなど）１５がマイコン１１に接続されており、マイコン１１は、ＣＤプレ−ヤ１２から読み込んだ音楽デ−タに関連する情報を不揮発性メモリ１５内の収納媒体デ−タベ−ス（以下、収納媒体ＤＢと記す）１５ａに登録する処理を行うようになっている。
【００４３】
図２は、不揮発性メモリ１５に格納されている収納媒体ＤＢ１５ａのファイル構成の一例を示す図である。収納媒体ＤＢ１５ａは、ＣＤプレ−ヤ１２に収納されているＣＤ−Ｒ１３に記憶されている音楽デ−タに関連する情報、すなわち、タイトル名、ア−ティスト名、アルバム名、ジャンル等の曲情報を含んで構成されている。
【００４４】
また、マイコン１１には、ＬＣＤ等のディスプレイから構成される表示部１６が接続されており、マイコン１１は、収納媒体ＤＢ１５ａに登録された音楽デ−タに関連する情報に基づいて、再生時に曲に関する情報（タイトル名、ア−ティスト名、アルバム名、ジャンル等）を表示したり、操作部１７に設けられた曲の検索や選択ボタンからの信号に基づいて、再生可能な曲情報の一覧リスト等を表示する処理を行うことができるようになっている。
【００４５】
また、各種の操作（例えば、再生、検索、選択等）を行うための操作部１７がマイコン１１に接続されており、マイコン１１は、操作部１７からの所定の操作信号を取り込み、該操作信号に基づいて、再生処理や表示処理等を行うことができるようになっている。なお操作部１７には、各種のボタンスイッチ、タッチパネルスイッチなどを採用することができる。
【００４６】
マイコン１１は、ＣＤプレ−ヤ１２の各種の動作制御、収納媒体ＤＢ１５ａへの音楽デ−タに関連する情報の登録処理、及び再生時における曲に関する情報や検索又は選択時等における収納曲の一覧リストなどの表示処理等を行うことができるようになっており、各種のプログラムやデ−タが記憶されたＲＯＭ及び制御デ−タ等を記憶するＲＡＭ（いずれも図示せず）が含まれている。
【００４７】
マイコン１１は、ＣＤプレ−ヤ１２に新たなＣＤ−Ｒ１３が収納されたことを検知すると、再生モ−ドに移り、ＣＤ−Ｒ１３の識別情報（ＴＯＣ情報やＣＤ−ＲＯＭの論理フォ−マットなどの情報）を読み込み、最初に再生される曲（１曲目）の音楽ファイルから音楽デ−タに関連する情報を読み込み、読み込んだ情報を収納媒体ＤＢ１５ａに登録する処理を行う。
【００４８】
登録処理後、直ちに１曲目の音楽デ−タの再生開始信号をＣＤプレ−ヤ１２に出力し、１曲目の音楽デ−タの再生処理を開始するとともに、１曲目の曲に関する情報を収納媒体ＤＢ１５ａから読み出して表示部１６に表示する処理を行う。
【００４９】
そして、再生バッファ１２ａから音楽デ−タを読み出して再生処理を行っている間に、残りの（２曲目以降の）音楽デ−タに関連する情報をＣＤ−Ｒ１３の各音楽ファイルから読み込み、読み込んだ情報を収納媒体ＤＢ１５ａに登録する処理を繰り返し行うようになっている。
【００５０】
また、マイコン１１は、収納媒体ＤＢ１５ａへの全ての音楽デ−タに関連する情報の登録が完了していない段階で、ＣＤ−Ｒ１３の音楽デ−タの検索又は選択操作を検出した場合、未登録の音楽デ−タに関連する情報の収納媒体ＤＢ１５ａへの登録を優先して完了させる処理を行うようになっている。
【００５１】
また、ＣＤプレ−ヤ１２からＣＤ−Ｒ１３が排出された場合、マイコン１１は、収納媒体ＤＢ１５ａに登録されたＣＤ−Ｒ１３の情報を削除する処理を行うようになっている。
これらマイコン１１、ＣＤプレ−ヤ１２、不揮発性メモリ１５、表示部１６、操作部１７を含んで再生装置１０が構成されている。
【００５２】
次に、実施の形態（１）に係る再生装置１０におけるマイコン１１の行う情報登録処理動作を図３に示したフロ−チャ−トに基づいて説明する。なお、本処理動作は、ＣＤプレ−ヤ１２に記憶媒体（この場合、ＣＤ−Ｒ１３）が収納されたときに実行される。
【００５３】
まず、ステップＳ１では、ＣＤプレ−ヤ１２にＣＤ−Ｒ１３が収納されたか否かを判断し、ＣＤ−Ｒ１３が収納されていないと判断すればステップＳ１に戻る一方、ＣＤ−Ｒ１３が収納されたと判断すればステップＳ２に進む。ステップＳ２では、ＣＤ−Ｒ１３の識別情報を読み込み、ステップＳ３に進む。
【００５４】
ステップＳ３では、最初に再生される曲（１曲目）の音楽ファイルから音楽デ−タに関連する情報を読み込み、読み込んだ情報を収納媒体ＤＢ１５ａに登録する処理を行い、その後ステップＳ４に進む。
【００５５】
ステップＳ４では、１曲目の音楽デ−タの再生開始信号をＣＤプレ−ヤ１２に出力し、音楽デ−タの再生処理を開始するとともに、収納媒体ＤＢ１５ａから１曲目の曲に関する情報を読み出して表示部１６に表示する処理を行い、その後ステップＳ５に進む。
【００５６】
ステップＳ５では、再生バッファ１２ａから音楽デ−タを読み出して再生処理を行っている間に、残りの（２曲目以降の）音楽デ−タに関連する情報をＣＤ−Ｒ１３の各音楽ファイルから読み込み、読み込んだ情報を収納媒体ＤＢ１５ａに登録する処理を行い、その後ステップＳ６に進む。
【００５７】
ステップＳ６では、ＣＤ−Ｒ１３に記憶されている全音楽ファイルの音楽デ−タに関連する情報の収納媒体ＤＢ１５ａへの登録が完了していない段階（登録未完の段階）で、ＣＤ−Ｒ１３の音楽デ−タの検索又は選択操作があったか否かを判断し、音楽デ−タの検索又は選択操作がなかったと判断すればステップＳ７に進む。
【００５８】
ステップＳ７では、ＣＤ−Ｒ１３の全音楽ファイルから音楽デ−タに関連する情報を読み込み、収納媒体ＤＢ１５ａへの登録が全て完了したか否か、すなわち、音楽デ−タに関連する情報の読み込み、及び登録処理が全て完了したか否かを判断し、音楽デ−タに関連する情報の読み込み及び登録処理が完了していないと判断すればステップＳ５に戻る一方、音楽デ−タに関連する情報の読み込み及び登録処理が完了したと判断すれば処理を終了する。
【００５９】
一方、ステップＳ６において、登録未完の段階で、音楽デ−タの検索又は選択操作があったと判断すればステップＳ８に進む。ステップＳ８では、未登録情報の優先登録処理、すなわち、収納媒体ＤＢ１５ａへ登録されていない音楽ファイルの音楽デ−タに関連する情報の収納媒体ＤＢ１５ａへの登録を優先して完了させる処理を行い、その後音楽デ−タの検索又は選択処理へ進む。
【００６０】
上記実施の形態（１）に係る再生装置１０によれば、新たなＣＤ−Ｒ１３の収納が検知されると、ＣＤ−Ｒ１３から最初に再生される音楽デ−タ（１曲目のみ）に関連する情報を読み込み、該情報を収納媒体ＤＢ１５ａに登録した後、最初に再生される曲の再生が開始されるので、新たなＣＤ−Ｒ１３の収納が検知された後、最初に再生される曲（１曲目）の再生をすぐに開始することができる。
【００６１】
したがって、従来、再生を開始する前に全ての音楽デ−タに関連する情報を収納媒体ＤＢ１５ａへ登録していたために生じていた再生開始までの待ち時間を大幅に短縮させることができ（特に、ＣＤ−Ｒ１３に記憶されている音楽デ−タの数が増えるほど、従来と比べて再生開始までの待ち時間を短縮する効果は大きくなる）、使用者に待ち時間を気にさせることのない快適な再生を行うことができる。
【００６２】
また、再生中に残り（２曲目以降）の音楽デ−タに関連する情報を読み込み、収納媒体ＤＢ１５ａに登録していくようになっているので、音楽デ−タの再生を中断することなく、残りの音楽デ−タに関連する情報を収納媒体ＤＢ１５ａに効率良く登録していくことができる。
【００６３】
また、収納媒体ＤＢ１５ａへの情報登録が完了していない段階で、音楽デ−タの検索や選択処理の要求があった場合、未登録情報の収納媒体ＤＢ１５ａへの登録が優先して行われるので、ＣＤ−Ｒ１３に記憶されている全てのデ−タに関連する情報が収納媒体ＤＢ１５ａに登録された状態で音楽デ−タの検索や選択処理を行うことができ、ＣＤ−Ｒ１３に記憶されている情報と収納媒体ＤＢ１５ａに登録された情報とが一致した整合性の高いデ−タ処理を行うことができる。
【００６４】
なお上記実施の形態（１）に係る再生装置１０では、再生を開始する前に、最初に再生する音楽デ−タ（１曲目のみ）に関連する情報を読み込み、収納媒体ＤＢ１５ａに登録するようになっているが、別の実施の形態では、最初に再生する音楽デ−タを含む所定個数の音楽デ−タに関連する情報を一度に読み込み、収納媒体ＤＢ１５ａに一括して登録するようにしてもよい。
【００６５】
このような構成によれば、実施の形態（１）に係る再生装置１０と略同様の効果を得ることができるとともに、ＣＤ−Ｒ１３から音楽デ−タに関連する情報を全て読み込むまでの読み込み回数や、収納媒体ＤＢ１５ａへの登録回数を少なくすることができ、読み込み処理や登録処理による負担を低減させることができる。なお、前記所定個数は、ＣＤプレ−ヤ１２の読み出し速度や再生開始までの時間等を考慮して、使用者に待ち時間を気にさせない時間内で任意に設定することができる。
【００６６】
図４は実施の形態（２）に係る再生装置の要部を概略的に示したブロック図である。但し、ここでは図１に示した再生装置１０と同一機能を有する構成部品には同一の符号を付して、その説明を省略し、異なる機能を有するマイコン１１Ａと、不揮発性メモリ１５Ａとには異なる符号を付すこととする。
【００６７】
実施の形態（２）に係る再生装置１０Ａが、実施の形態（１）に係る再生装置１０と相違するのは、実施の形態（１）に係る再生装置１０は、ＣＤ−Ｒ１３から音楽デ−タに関連する情報を読み込み、収納媒体ＤＢ１５ａに登録するようになっているのに対し、実施の形態（２）に係る再生装置１０Ａでは、記憶媒体に音楽デ−タに関連する情報が記憶されておらず、例えば通常の音楽ＣＤ（以下ＣＤ）１３ａがＣＤプレ−ヤ１２に収納された場合に、他の情報源（曲情報デ−タベ−ス（以下、曲情報ＤＢ）１５ｂ）から音楽デ−タに関連する情報を別途取得して、収納媒体ＤＢ１５ａに登録するようになっている点である。
【００６８】
不揮発性メモリ１５Ａには、他の情報源としての曲情報ＤＢ１５ｂが格納されており、曲情報ＤＢ１５ｂには、市販されているＣＤの曲情報（タイトル名、ア−ティスト名、アルバム名等の情報、数十万曲分）が登録されている。なお、新作アルバムの曲情報等については、例えば、マイコン１１Ａに通信手段（図示せず）を接続し、該通信手段を介してネットワ−ク上の曲情報ＤＢサ−バ（図示せず）からダウンロ−ドすることにより追加・更新できるようになっている。
【００６９】
マイコン１１Ａは、ＣＤプレ−ヤ１２に新たなＣＤ１３ａが収納されたことを検知すると、再生モ−ドに移り、ＣＤ１３ａの識別情報（ＴＯＣ情報）を読み込んだ後、曲情報ＤＢ１５ｂから音楽デ−タに関連する情報を取得するために識別補助デ−タ（例えば、各トラックのサブチャンネル内に格納されているＩＳＲＣ（Ｉｎｔｅｒｎａｔｉｏｎａｌ  Ｓｔａｎｄａｒｄ  Ｒｅｃｏｒｄｉｎｇ  Ｃｏｄｅ  ）コ−ドなどがさらに必要か否かを判断する。
【００７０】
そして、識別補助デ−タが必要でないと判断すれば、ＴＯＣ情報（ＴＯＣ情報から求められた識別ＩＤコ−ドなどでもよい）に基づいて、曲情報ＤＢ１５ｂからＣＤ１３ａの最初に再生される音楽デ−タ（１曲目）に関連する情報を取得して、収納媒体ＤＢ１５ａに登録する処理を行う。
【００７１】
また、識別補助デ−タが必要であると判断すれば、最初に再生される音楽デ−タの識別補助デ−タをＣＤ１３ａから読み込み、読み込んだ識別補助デ−タ等に基づいて、曲情報ＤＢ１５ｂ中から該当する音楽デ−タに関連する情報を取得して、収納媒体ＤＢ１５ａに登録する処理を行う。
【００７２】
１曲目の音楽デ−タに関連する情報の登録後、直ちに１曲目の音楽デ−タの再生開始信号をＣＤプレ−ヤ１２に出力し、１曲目の音楽デ−タの再生処理を開始するとともに、１曲目の曲に関する情報を収納媒体ＤＢ１５ａから読み出して表示部１６に表示する処理を行う。
【００７３】
そして、識別補助デ−タが必要でない場合は、再生処理を行いながら、ＴＯＣ情報に基づいて、残り（２曲目以降）の音楽デ−タに関連する情報を曲情報ＤＢ１５ｂから取得し、取得した情報を収納媒体ＤＢ１５ａに登録する処理を行うようになっている。また、識別補助デ−タが必要である場合は、再生バッファ１２ａから音楽デ−タを読み出しながら再生処理を行っている間に、ＣＤ１３ａから２曲目以降の識別補助デ−タを読み込み、該識別補助デ−タに基づいて、曲情報ＤＢ１５ｂから音楽デ−タに関連する情報を取得して、収納媒体ＤＢ１５ａに登録する処理を繰り返し行うようになっている。
【００７４】
また、マイコン１１Ａは、収納媒体ＤＢ１５ａへの全ての音楽デ−タに関連する情報の登録が完了していない段階で、ＣＤ１３ａの音楽デ−タの検索又は選択操作を検出した場合、未登録の音楽デ−タに関連する情報の収納媒体ＤＢ１５ａへの登録を優先して完了させる処理を行うようになっている。
また、ＣＤプレ−ヤ１２からＣＤ１３ａが排出された場合、マイコン１１Ａは、収納媒体ＤＢ１５ａに登録されたＣＤ１３ａの情報を削除する処理を行うようになっている。
【００７５】
次に実施の形態（２）に係る再生装置１０Ａにおけるマイコン１１Ａの行う情報登録処理動作を図５、６に示したフロ−チャ−トに基づいて説明する。なお、本処理動作は、ＣＤプレ−ヤ１２に記憶媒体（この場合、ＣＤ１３ａ）が収納されたときに実行される。
【００７６】
まず、ステップＳ１１では、ＣＤプレ−ヤ１２にＣＤ１３ａが収納されたか否かを判断し、ＣＤ１３ａが収納されていないと判断すればステップＳ１１に戻る一方、ＣＤ１３ａが収納されたと判断すればステップＳ１２に進む。ステップＳ１２では、ＣＤ１３ａのＴＯＣ情報を読み込み、ステップＳ１３に進む。
【００７７】
ステップＳ１３では、曲情報ＤＢ１５ｂから音楽デ−タに関連する情報を取得するために識別補助デ−タ（ＩＳＲＣコ−ド等）が必要か否かを判断し、識別補助デ−タが必要でないと判断すればステップＳ１４に進む。
【００７８】
ステップＳ１４では、ＴＯＣ情報に基づいて、曲情報ＤＢ１５ｂから最初に再生される音楽デ−タ（１曲目）に関連する情報を取得し、収納媒体ＤＢ１５ａに登録する処理を行い、その後ステップＳ１５に進む。
【００７９】
ステップＳ１５では、１曲目の音楽デ−タの再生開始信号をＣＤプレ−ヤ１２に出力し、１曲目の音楽デ−タの再生処理を開始するとともに、１曲目の曲に関する情報を収納媒体ＤＢ１５ａから読み出して表示部１６に表示する処理を行い、その後ステップＳ１６に進む。
【００８０】
ステップＳ１６では、ＴＯＣ情報に基づいて、残り（２曲目以降）の音楽デ−タに関連する情報を曲情報ＤＢ１５ｂから取得し、取得した情報を収納媒体ＤＢ１５ａに登録する処理を行い、その後ステップＳ１７に進む。なお、ステップＳ１６においては、ＴＯＣ情報に基づいて曲情報ＤＢ１５ｂ内の情報を読み出し、収納媒体ＤＢ１５ａに登録する処理なので、ＣＤ１３ａにアクセスする必要がない。したがって、曲情報ＤＢ１５ｂから音楽デ−タに関連する情報を取得する際、１曲分づつ、数曲分づつ、又は残りの全曲分の情報を一度に読み出して取得する等、読み出し条件は任意に設定にすることができる。
【００８１】
ステップＳ１７では、曲情報ＤＢ１５ｂから収納媒体ＤＢ１５ａへの音楽デ−タに関連する情報の登録が完了していない段階（登録未完の段階）で、音楽デ−タの検索又は選択操作があったか否かを判断し、音楽デ−タの検索又は選択操作がなかったと判断すればステップＳ１８に進む。
【００８２】
ステップＳ１８では、曲情報ＤＢ１５ｂからＣＤ１３ａの音楽デ−タに関連する情報を全て取得し、収納媒体ＤＢ１５ａへの登録が全て完了したか否か、すなわち、音楽デ−タに関連する情報の取得及び登録処理が完了したか否かを判断し、音楽デ−タに関連する情報の取得及び登録処理が完了していないと判断すればステップＳ１６に戻る一方、音楽デ−タに関連する情報の取得及び登録処理が完了したと判断すれば処理を終了する。
【００８３】
一方、ステップＳ１７において、登録未完の段階で、音楽デ−タの検索又は選択操作があったと判断すればステップＳ１９に進む。ステップＳ１９では、未登録情報の優先登録処理、すなわち、曲情報ＤＢ１５ｂから収納媒体ＤＢ１５ａへ登録されていない音楽デ−タに関連する情報を収納媒体ＤＢ１５ａへ登録する処理を優先して完了させる処理を行い、その後音楽デ−タの検索又は選択処理へ進む。
【００８４】
一方、ステップＳ１３において、識別補助デ−タが必要であると判断すれば図６に示したステップＳ２０に進む。ステップＳ２０では、ＣＤ１３ａから最初に再生される音楽デ−タ（１曲目のみ）の識別補助デ−タを読み込み、ステップＳ２１に進む。
【００８５】
ステップＳ２１では、識別補助デ−タ及びＴＯＣ情報、又は識別補助デ−タに基づいて、曲情報ＤＢ１５ｂから最初に再生される音楽デ−タ（１曲目）に関連する情報を取得し、収納媒体ＤＢ１５ａに登録する処理を行い、その後ステップＳ２２に進む。ステップＳ２２では、最初に再生される音楽デ−タ（１曲目）の再生処理と再生曲情報の表示処理とを行い、その後ステップＳ２３に進む。
【００８６】
ステップＳ２３では、再生バッファ１２ａから音楽デ−タを読み出して再生を行っている間に、ＣＤ１３ａから残りの（２曲目以降）の識別補助デ−タを読み込み、ステップＳ２４に進む。なお、ステップＳ２３における識別補助デ−タの読み込みは、次にＣＤ１３ａから音楽デ−タを読み出して再生バッファ１２ａに書き込むまでの時間（再生バッファ１２ａ中のデ−タ残量に基づく推定時間）と、ＣＤ１３ａから１曲の識別補助デ−タを読み出すのに要する時間とを考慮して、再生バッファ１２ａへの書込時間までに識別補助デ−タを数曲分読み出し可能であれば、音楽デ−タの再生処理に影響のない範囲で、出来るだけ多くの曲の識別補助デ−タが読み込まれるようになっている。
【００８７】
ステップＳ２４では、識別補助デ−タ及びＴＯＣ情報、又は識別補助デ−タに基づいて、曲情報ＤＢ１５ｂから２曲目以降の音楽デ−タに関連する情報を取得し、収納媒体ＤＢ１５ａに登録する処理を行い、その後ステップＳ２５に進む。
【００８８】
ステップＳ２５では、登録未完の段階で、音楽デ−タの検索又は選択操作があったか否かを判断し、音楽デ−タの検索又は選択操作がなかったと判断すればステップＳ２６に進む。
【００８９】
ステップＳ２６では、音楽デ−タに関連する情報の取得及び登録処理が完了したか否かを判断し、音楽デ−タに関連する情報の取得及び登録処理が完了していないと判断すればステップＳ２３に戻る一方、音楽デ−タに関連する情報の取得及び登録処理が完了したと判断すれば処理を終了する。
【００９０】
一方、ステップＳ２５において、登録未完の段階で、音楽デ−タの検索又は選択操作があったと判断すればステップＳ２７に進む。ステップＳ２７では、未登録情報の優先登録処理、すなわち、曲情報ＤＢ１５ｂから収納媒体ＤＢ１５ａへ登録されていない音楽デ−タに関連する情報を収納媒体ＤＢ１５ａへ登録する処理を優先して完了させる処理を行い、その後音楽デ−タの検索又は選択処理へ進む。
【００９１】
上記実施の形態（２）に係る再生装置１０Ａによれば  新たなＣＤ１３ａの収納が検知されると、曲情報ＤＢ１５ｂから最初に再生される音楽デ−タに関連する情報を取得するために必要な識別情報（ＴＯＣ情報及び／又は識別補助デ−タ）をＣＤ１３ａから読み込み、識別情報に基づいて曲情報ＤＢ１５ｂから最初に再生される音楽デ−タ（１曲目）に関連する情報を取得し、該情報を収納媒体ＤＢ１５ａに登録した後、１曲目の再生が直ちに開始されるので、新たなＣＤ１３ａを検知した後でも、１曲目の再生を直に開始することができる。
【００９２】
したがって、従来、ＣＤ１３ａの音楽デ−タに関する情報を収納媒体ＤＢ１５ａへ登録するために生じていた再生開始までの待ち時間を大幅に短縮することができ、待ち時間の気にならない快適な再生を行うことができる。
【００９３】
また、再生中に残り（２曲目以降）の音楽デ−タに関連する情報の取得、又は残りの識別情報の読み込みと残りのデ−タに関連する情報の取得とを行い、収納媒体ＤＢ１５ａに登録していくようになっているので、音楽デ−タの再生を中断することなく残りの音楽デ−タに関連する情報を収納媒体ＤＢ１５ａに効率良く登録していくことができる。
【００９４】
また、収納媒体ＤＢ１５ａへの情報登録が完了していないときに音楽デ−タの検索や選択操作があった場合、未登録情報の収納媒体ＤＢ１５ａへの登録を優先して完了させる処理を行うので、ＣＤ１３ａに記憶されている音楽デ−タに対応する情報が収納媒体ＤＢ１５ａに登録された状態で検索や選択操作を行うことができ、ＣＤ１３ａに記憶されている音楽デ−タと収納媒体ＤＢ１５ａに登録された情報との関係が一致した整合性の高いデ−タ処理を行うことができる。
【００９５】
なお、上記実施の形態（２）では、再生を開始する前に、最初に再生される音楽デ−タ（１曲目のみ）に関連する情報を曲情報ＤＢ１５ｂから取得して、収納媒体ＤＢ１５ａに登録するようになっているが、別の実施の形態では、最初に再生される音楽デ−タを含む所定個数のデ−タに関連する情報を取得するために必要な識別情報をＣＤ１３ａから読み込み、該識別情報に基づいて曲情報ＤＢ１５ｂから少なくとも所定個数のデ−タに関連する情報を取得し、該情報を収納媒体ＤＢ１５ａに一括して登録するようにしてもよい。
【００９６】
このような構成によれば、識別補助デ−タを全て読み込むまでの読み込み回数や、曲情報ＤＢ１５ｂからの情報の取得回数や、収納媒体ＤＢ１５ａへの登録回数を少なくすることができ、読込処理や取得処理や登録処理による負担を低減させることができる。
【００９７】
また、上記実施の形態（１）、（２）では、収納媒体ＤＢ１５ａに登録される音楽デ−タに関連する情報として、タイトル名、ア−ティスト名、アルバム名等の文字情報が登録される場合について説明したが、収納媒体ＤＢ１５ａに登録される情報は文字情報に限られるものではなく、ア−ティストの画像や、ビデオ映像などの画像・映像情報を含むものでもよい。
【００９８】
また、上記実施の形態（１）、（２）では、音楽デ−タをＣＤプレ−ヤ１２で読み出して再生を行うようになっているが、別の実施の形態では、ＣＤプレ−ヤ１２で読み出した音楽デ−タを順次不揮発性メモリ１５、１５Ａに書き込み、不揮発性メモリ１５、１５Ａから音楽デ−タを読み出しながら再生を行う構成としても良い。この場合は、ＣＤ−Ｒ１３やＣＤ１３ａをＣＤプレ−ヤ１２から排出しても、ＣＤ−Ｒ１３やＣＤ１３ａの音楽デ−タが不揮発性メモリ１５、１５Ａに記憶された状態であるので、収納媒体ＤＢ１５ａに登録された情報は削除されずに保存されるようになっている。
【００９９】
また、上記実施の形態（１）、（２）では、再生手段としてＣＤプレ−ヤ１２が含まれている場合について説明したが、再生手段は、少なくとも１つ以上の記憶媒体を収納することができるものであれば特に限定されるものではなく、複数の記憶媒体の再生機能を備えた再生手段（例えば、ＤＶＤマルチプレ−ヤやＭＤプレ−ヤや半導体メモリカ−ドの再生機能を備えたものなど）にも適用することができる。
【０１００】
また、上記実施の形態（１）、（２）では、記憶媒体としてＣＤ−Ｒ１３、ＣＤ１３ａが適用された場合について説明したが、記憶媒体は、再生手段により再生可能なものであれば特に限定されるものではなく、例えば、再生手段にＤＶＤプレ−ヤが含まれる場合には、記憶媒体として各種のＤＶＤやＣＤメディアを採用することができ、また、再生手段にＭＤプレ−ヤや半導体メモリカ−ドの再生機能が含まれている場合には、ＭＤや半導体メモリカ−ドなどの各種の記憶媒体を採用することもできる。
【０１０１】
また、上記実施の形態（１）、（２）では、新たな記憶媒体（ＣＤ−Ｒ１３、ＣＤ１３ａ）の収納が検知されると、再生モ−ドに移るようになっているが、別の実施の形態では、新たな記憶媒体の選択操作を検知すると、再生モ−ドに移るようになっている再生装置（例えば、複数の記憶媒体を一度に収納することができる再生手段（チェンジャ−機能を有するものなど）を装備する装置など）にも適用することができる。
【０１０２】
また、ＣＤプレ−ヤ１２がＣＤ−Ｒ１３の圧縮音楽ファイル、及びＣＤ１３ａを読み込めるものであれば、上記実施の形態（１）と実施の形態（２）とを組み合わせることもでき、ＣＤプレ−ヤ１２にディスクが収納された時に、圧縮音楽ファイルが記憶されているＣＤ−Ｒ１３か、通常のＣＤ１３ａかを判断して、それぞれのディスクに応じた処理を、上記説明したように行わせることもできる。
【０１０３】
次に実施の形態（３）に係る再生装置について説明する。但し、実施の形態（３）に係る再生装置１０Ｂの構成については、マイコン１１Ｂと、収納媒体ＤＢ１５ｃとを除いて図１に示した再生装置１０と同様であるため、異なる機能を有するマイコン１１Ｂと収納媒体ＤＢ１５ｃとには異なる符号を付して、その他の構成部品の説明を省略することとする。
【０１０４】
実施の形態（１）に係る再生装置１０では、ＣＤ−Ｒ１３が排出されると、収納媒体ＤＢ１５ａに登録されたＣＤ−Ｒ１３の情報が削除されるようになっているが、実施の形態（３）に係る再生装置１０Ｂでは、ＣＤ−Ｒ１３が排出されても、収納媒体ＤＢ１５ｃに登録されたＣＤ−Ｒ１３の情報は削除せずに、排出されたＣＤ−Ｒ１３の情報が音楽デ−タの検索や選択処理などに利用されないようにＣＤ−Ｒ１３の情報を一時無効にする処理を行い、同一のＣＤ−Ｒ１３の収納が再度検知されると、前記一時無効を解除することにより、再度登録処理を行うことなく収納媒体ＤＢ１５ｃに登録されているＣＤ−Ｒ１３の情報がすぐに利用できるようになっている。
【０１０５】
また、ＣＤ−Ｒ１３の情報が収納媒体ＤＢ１５ｃに蓄積されていくので、蓄積されるデ−タ量が増えると収納媒体ＤＢ１５ｃの記憶領域が不足してくる。そこで実施の形態（３）に係る再生装置１０Ｂでは、記憶媒体（ＣＤ−Ｒ１３）が収納された日時を記憶するようにして、収納媒体ＤＢ１５ｃの記憶領域の空き容量が所定容量以下になると、収納媒体ＤＢ１５ｃに登録されている情報の中から、収納日時の最も古い情報から削除する処理が行われるようになっている。
【０１０６】
図７は、不揮発性メモリ１５に格納されている収納媒体ＤＢ１５ｃのファイル構造の一例を示す図である。
収納媒体ＤＢ１５ｃのファイルには、ＣＤ−Ｒ１３の情報を一時無効にしたり、一時無効を解除したりする（すなわち、有効にする）情報（フラグ）を設定するためのフラグ項目が設けられており、他のデ−タ項目は、図２に示した収納媒体ＤＢ１５ａと略同様である。
【０１０７】
フラグ項目には、ＣＤプレ−ヤ１２に収納されているＣＤ−Ｒ１３の情報には該情報が無効ではない（すなわち、情報を利用できる）ことを示すフラグ（すなわちｆ＝１）が設定され、ＣＤプレ−ヤ１２から排出されたＣＤ−Ｒ１３の情報には該情報が無効である（すなわち、情報を利用できない）ことを示すフラグ（すなわちｆ＝０）が設定されるようになっている。
【０１０８】
マイコン１１Ｂは、ＣＤ−Ｒ１３から識別情報（ＴＯＣ情報、又はＣＤ−ＲＯＭの論理フォ−マットなど）を読み込んだ後、内蔵された時計回路（図示せず）から日時デ−タ（収納日時デ−タ）を取り込み、収納日時デ−タを識別情報から求められたＣＤ−Ｒ１３の識別ＩＤコ−ドと関連付けて記憶する処理を行うようになっている。なお、収納日時デ−タは、同一のＣＤ−Ｒ１３がＣＤプレ−ヤ１２に収納された場合には、その都度更新されるようになっている。また、識別ＩＤコ−ド及び収納日時デ−タは、マイコン１１Ｂ内に設けられた不揮発性メモリ（図示せず）又は、不揮発性メモリ１５に記憶されるようになっている。
【０１０９】
次に、実施の形態（３）に係る再生装置１０Ｂにおけるマイコン１１Ｂの行う情報登録処理動作を図８に示したフロ−チャ−トに基づいて説明する。なお、図３に示した処理動作と同様の処理動作については同一符号を付して、その説明を省略することとする。
【０１１０】
まず、ステップＳ１において、ＣＤプレ−ヤ１２にＣＤ−Ｒ１３が収納されたと判断すればステップＳ２に進み、ＣＤ−Ｒ１３の識別情報を読み込み、ステップＳ３１に進む。
【０１１１】
ステップＳ３１では、時計回路（図示せず）から収納日時デ−タを取り込み、ステップＳ３２に進む。ステップＳ３２では、ＣＤ−Ｒ１３の識別情報に基づいて識別ＩＤコ−ドを作成し、今回収納されたＣＤ−Ｒ１３が初めて収納されたものか否かを判断し（すなわち、不揮発性メモリ１５に同一の識別ＩＤコ−ドが記憶されているか否かを判断し）、初めて収納されたものであると判断すればステップＳ３３に進む。
【０１１２】
ステップＳ３３では、収納日時デ−タを識別ＩＤコ−ドと関連付けて記憶する処理を行い、その後ステップＳ３４に進む。ステップＳ３４では、これから収納媒体ＤＢ１５ｃに登録されるＣＤ−Ｒ１３の情報を有効にする（すなわち、フラグを１にする）設定を行い、その後図３に示したステップＳ３以降の処理に進み、ＣＤ−Ｒ１３の音楽デ−タに関連する情報をフラグ項目を１にしながら収納媒体ＤＢ１５ｃに登録する。
【０１１３】
一方、ステップＳ３２において、初めて収納されたものではないと判断すればステップＳ３５に進む。ステップＳ３５では、識別ＩＤコ−ドに関連付けて記憶されている収納日時デ−タを更新する処理を行い、その後ステップＳ３６に進む。ステップＳ３６では、収納媒体ＤＢ１５ｃに登録されているＣＤ−Ｒ１３の情報の一時無効を解除する処理（すなわち収納媒体ＤＢ１５ｃに登録されているＣＤ−Ｒ１３の情報のフラグを１にする）を行い、その後ステップＳ３７に進む。
【０１１４】
ステップＳ３７では、１曲目の音楽デ−タの再生処理を開始するとともに、１曲目の曲に関する情報を収納媒体ＤＢ１５ｃから読み出して表示部１６に表示する処理を行い、その後処理を終了する。
【０１１５】
次に、実施の形態（３）に係る再生装置１０Ｂにおけるマイコン１１Ｂの行う処理動作を図９に示したフロ−チャ−トに基づいて説明する。なお、本処理動作は、記憶媒体（この場合、ＣＤ−Ｒ１３）が排出されたときに実行される。
【０１１６】
まず、ステップＳ４１では、ＣＤプレ−ヤ１２からＣＤ−Ｒ１３が排出されたか否かを判断し、ＣＤ−Ｒ１３が排出されていないと判断すればステップＳ４１に戻る一方、ＣＤ−Ｒ１３が排出されたと判断すればステップＳ４２に進む。
【０１１７】
ステップＳ４２では、収納媒体ＤＢ１５ｃに登録されているＣＤ−Ｒ１３の情報を一時無効にする処理（すなわち、ＣＤ−Ｒ１３の情報のフラグを０にして、利用できない状態にする処理）を行い、その後ステップＳ４３に進む。
【０１１８】
ステップＳ４３では、収納媒体ＤＢ１５ｃの記憶領域の空き容量が、記憶領域が残り少なくなったことを示す所定容量以下になったか否かを判断し、空き容量が所定容量以下ではない（すなわち、記憶領域が十分ある）と判断すれば処理を終了する一方、空き容量が所定容量以下である（すなわち、記憶領域が少なくなった）と判断すればステップＳ４４に進む。
【０１１９】
ステップＳ４４では、これまでに記憶されている収納日時デ−タに基づいて、収納日時が最も古い記憶媒体を探索する処理を行い、その後ステップＳ４５に進む。ステップＳ４５では、収納日時が最も古い記憶媒体の情報を収納媒体ＤＢ１５ｃから削除する処理を行い、その後ステップＳ４３に戻る。
【０１２０】
上記実施の形態（３）に係る再生装置１０Ｂによれば、ＣＤ−Ｒ１３が排出された場合に、収納媒体ＤＢ１５ｃに登録された情報は削除せず、一旦排出されたＣＤ−Ｒ１３の情報を利用できないように一時無効にして、同一のＣＤ−Ｒ１３が再度収納された場合に、一時無効を解除することにより、ＣＤ−Ｒ１３が収納される度にＣＤ−Ｒ１３の情報を収納媒体ＤＢ１５ｃに登録したり、ＣＤ−Ｒ１３が排出される度に収納媒体ＤＢ１５ｃからＣＤ−Ｒ１３の情報を削除したりする必要がなくなるので、音楽デ−タに関連する情報を収納媒体ＤＢ１５ｃに登録するためのＣＤ−Ｒ１３へのアクセス数やアクセス時間を大幅に減らすことができ、登録処理や削除処理による負担を低減させることができる。
【０１２１】
また、登録されたＣＤ−Ｒ１３の情報が排出時に削除されずに蓄積されていく結果、記憶領域の空き容量が少なくなった場合でも、再度利用される可能性の低い、すなわち収納日時の最も古い記憶媒体の情報から削除していくことができ、収納媒体ＤＢ１５ｃの記憶領域に空き容量を確保することができ、新しく収納される記憶媒体の情報を継続して登録していくことができる。
【０１２２】
次に実施の形態（４）に係る再生装置について説明する。但し、実施の形態（４）に係る再生装置１０Ｃの構成については、マイコン１１Ｃを除いて図１に示した再生装置１０Ｂと同様であるため、異なる機能を有するマイコン１１Ｃには異なる符号を付して、その他の構成部品の説明を省略することとする。
【０１２３】
実施の形態（３）に係る再生装置１０Ｂでは、ＣＤ−Ｒ１３の収納日時デ−タを記憶して、収納媒体ＤＢ１５ｃの記憶領域の空き容量が所定容量以下になった場合に、収納日時が最も古い記憶媒体の情報から削除していくようになっているが、実施の形態（４）に係る再生装置１０Ｃでは、ＣＤ−Ｒ１３の収納日時を記憶するとともに、さらにＣＤ−Ｒ１３の収納回数をカウントし、ＣＤ−Ｒ１３の収納日時デ−タと収納回数デ−タとを識別ＩＤコ−ドに関連付けて記憶して、収納媒体ＤＢ１５ｃの記憶領域の空き容量が所定容量以下になった場合に、収納日時が古く、かつ収納回数の少ない記憶媒体の情報から削除していくようになっている。
【０１２４】
次に、実施の形態（４）に係る再生装置１０Ｃにおけるマイコン１１Ｃの行う情報登録処理動作を図１０に示したフロ−チャ−トに基づいて説明する。なお、本処理動作は、図８に示したフロ−チャ−トにおけるステップＳ３３の代わりにステップＳ５１及びＳ５２を、ステップＳ３５の代わりにステップＳ５３及びＳ５４をそれぞれ挿入したものであり、以下相違点のみ説明することとする。
【０１２５】
ステップＳ３２において、収納されたＣＤ−Ｒ１３が初めて収納されたものであると判断すればステップＳ５１に進む。ステップＳ５１では、収納回数のカウンタｋを１にして、ステップＳ５２に進む。ステップＳ５２では、収納日時デ−タと収納回数（カウンタｋ＝１）デ−タとを識別ＩＤコ−ドと関連付けて記憶する処理を行い、その後ステップＳ３４に進む。
【０１２６】
一方、ステップＳ３２において、収納されたＣＤ−Ｒ１３が初めて収納されたものではないと判断すればステップＳ５３に進む。ステップＳ５３では、識別ＩＤコ−ドを基にＣＤ−Ｒ１３の収納回数デ−タ（カウンタｋ）を読み出し、収納回数のカウンタｋに１を加算し、ステップＳ５４に進む。ステップＳ５４では、収納日時デ−タと収納回数デ−タとを更新する処理を行い、その後ステップＳ３６に進む。
【０１２７】
次に、実施の形態（４）に係る再生装置１０Ｃにおけるマイコン１１Ｃの行う処理動作を図１１に示したフロ−チャ−トに基づいて説明する。なお、本処理動作は、図９に示したフロ−チャ−トにおけるステップＳ４４とＳ４５との間にステップＳ６１とＳ６２とを挿入したものであり、以下相違点のみ説明することとする。
【０１２８】
ステップＳ４４では、これまでに記憶されている収納日時・収納回数デ−タに基づいて、収納日時が最も古い記憶媒体を探索する処理を行い、その後ステップＳ６１に進む。
【０１２９】
ステップＳ６１では、収納日時が最も古い記憶媒体が複数あるか否か（すなわち、収納日時が最も古く、かつ収納日時が同じ記憶媒体があるか否か）を判断し、収納日時が最も古い記憶媒体が複数ではない（すなわち１つである）と判断すればステップＳ４５に進む一方、収納日時が最も古い記憶媒体が複数あると判断すればステップＳ６２に進む。
【０１３０】
ステップＳ６２では、収納日時が同じ記憶媒体の中から収納回数が最も少ない記憶媒体を選び、該記憶媒体の情報を収納媒体ＤＢ１５ｃから削除する処理を行い、その後ステップＳ４３に戻る。
【０１３１】
上記実施の形態（４）に係る再生装置１０Ｃによれば、上記実施の形態（３）と略同様の効果を得ることができるとともに、収納された日時デ−タが古い記憶媒体が複数存在する場合でも、その中から収納回数の少ない、すなわち、より再利用される可能性の低い記憶媒体の情報から削除していくことができる。
【０１３２】
次に実施の形態（５）に係る再生装置について説明する。但し、実施の形態（５）に係る再生装置１０Ｄの構成については、マイコン１１Ｄを除いて図１に示した再生装置１０Ｂと同様であるため、異なる機能を有するマイコン１１Ｄには異なる符号を付して、その他の構成部品の説明を省略することとする。
【０１３３】
実施の形態（３）に係る再生装置１０Ｂでは、ＣＤ−Ｒ１３の収納回数に関係なく、排出後においても収納媒体ＤＢ１５ｃに登録されたＣＤ−Ｒ１３の情報を削除せずに蓄積し、収納媒体ＤＢ１５ｃの記憶領域の空き容量が所定容量以下になった場合に、収納日時が最も古い記憶媒体の情報から削除していくようになっているが、実施の形態（５）に係る再生装置１０Ｄでは、ＣＤ−Ｒ１３の収納回数をカウントし、所定回数以上カウントされた記憶媒体のみ、ＣＤ−Ｒ１３を排出しても収納媒体ＤＢ１５ｃに登録されたＣＤ−Ｒ１３の情報を削除せずに一時無効にするマスク処理を行って、情報を蓄積するようにし、収納回数が所定回数未満である場合は、排出時にＣＤ−Ｒ１３の情報が収納媒体ＤＢ１５ｃから削除されるようになっている。
【０１３４】
次に、実施の形態（５）に係る再生装置１０Ｄにおけるマイコン１１Ｄの行う情報登録処理動作を図１２に示したフロ−チャ−トに基づいて説明する。なお、図８に示した処理動作と同一の処理動作には同一符号を付してその説明を省略することとする。
【０１３５】
ステップＳ３２において、収納されたＣＤ−Ｒ１３が初めて収納されたものであると判断すればステップＳ７１に進む。ステップＳ７１では、収納回数のカウンタｋを１にして、ステップＳ７２に進む。ステップＳ７２では、収納回数デ−タを識別ＩＤコ−ドと関連付けて記憶する処理を行い、その後ステップＳ３４に進む。
【０１３６】
一方、ステップＳ３１において、収納されたＣＤ−Ｒ１３が初めて収納されたものではないと判断すればステップＳ７３に進む。ステップＳ７３では、収納されたＣＤ−Ｒ１３の収納回数のカウンタｋを読み出し、収納回数のカウンタｋが収納媒体ＤＢ１５ｃに登録された情報を残すか否かの判断基準となる所定回数Ｘ以上であるか否かを判断し、収納回数のカウンタｋが所定回数Ｘ以上ではないと判断すればステップＳ７４に進む。ステップＳ７４では、収納回数のカウンタｋに１を加算して、ステップＳ７２に進む。
【０１３７】
一方、ステップＳ７３において、収納回数のカウンタｋが所定回数Ｘ以上であると判断すればステップＳ７５に進み、ステップＳ７５では、収納回数のカウンタｋに１を加算して、ステップＳ３６に進む。
【０１３８】
次に、実施の形態（５）に係る再生装置１０Ｄにおけるマイコン１１Ｄの行う処理動作を図１３に示したフロ−チャ−トに基づいて説明する。なお、本処理動作は、記憶媒体（この場合、ＣＤ−Ｒ１３）の排出時に実行される。
【０１３９】
まず、ステップＳ８１において、ＣＤ−Ｒ１３が排出されたか否かを判断し、ＣＤ−Ｒ１３が排出されていないと判断すればステップＳ８１に戻る一方、ＣＤ−Ｒ１３が排出されたと判断すればステップＳ８２に進む。
【０１４０】
ステップＳ８２では、排出されたＣＤ−Ｒ１３の収納回数デ−タ（カウンタｋの値）を読み出し、排出されたＣＤ−Ｒ１３の収納回数のカウンタｋが、所定回数Ｘ以上であるか否かを判断し、排出されたＣＤ−Ｒ１３の収納回数のカウンタｋが所定回数Ｘ以上である（すなわち、排出されたＣＤ−Ｒ１３の登録情報を削除せずに、マスク処理して記憶する）と判断すればステップＳ８３に進む。ステップＳ８３では、排出されたＣＤ−Ｒ１３の情報を一時無効にする処理（すなわちフラグを０にする処理）を行い、その後処理を終了する。
【０１４１】
一方、ステップＳ８２において、排出されたＣＤ−Ｒ１３の収納回数のカウンタｋが所定回数Ｘ未満であると判断すればステップＳ８４に進む。ステップＳ８４では、排出されたＣＤ−Ｒ１３の情報を収納媒体ＤＢ１５ｃから削除する処理を行い、その後処理を終了する。
【０１４２】
上記実施の形態（５）に係る再生装置１０Ｄによれば、収納回数が少ない記憶媒体の情報（例えば、レンタルＣＤ等）を収納媒体ＤＢ１５ｃに登録しておいても、再度利用される確率が極めて低く、収納媒体ＤＢ１５ｃの記憶領域が無駄に使用されることとなるため、収納回数のカウンタｋが所定回数Ｘ以上である（すなわち、再度利用される確率の高い）記憶媒体の情報のみ収納媒体ＤＢ１５ｃから削除せず、一時無効にしたり、該一時無効を解除したりする処理ができるようにし、また、所定回数Ｘ未満である記憶媒体の情報は削除することにより、収納媒体ＤＢ１５ｃの記憶領域を効率よく使用することができる。
【図面の簡単な説明】
【図１】本発明の実施の形態（１）に係る再生装置の要部を概略的に示したブロック図である。
【図２】実施の形態（１）に係る再生装置における不揮発性メモリに格納されている収納媒体ＤＢのファイル構成の一例を示す図である。
【図３】実施の形態（１）に係る再生装置におけるマイコンの行う情報登録処理動作を示すフロ−チャ−トである。
【図４】実施の形態（２）に係る再生装置の要部を概略的に示したブロック図である。
【図５】実施の形態（２）に係る再生装置におけるマイコンの行う情報登録処理動作を示すフロ−チャ−トである。
【図６】実施の形態（２）に係る再生装置におけるマイコンの行う情報登録処理動作を示すフロ−チャ−トである。
【図７】実施の形態（３）に係る再生装置における不揮発性メモリに格納されている収納媒体ＤＢのファイル構成の一例を示す図である。
【図８】実施の形態（３）に係る再生装置におけるマイコンの行う情報登録処理動作を示すフロ−チャ−トである。
【図９】実施の形態（３）に係る再生装置におけるマイコンの行う処理動作を示すフロ−チャ−トである。
【図１０】実施の形態（４）に係る再生装置におけるマイコンの行う情報登録処理動作を示すフロ−チャ−トである。
【図１１】実施の形態（４）に係る再生装置におけるマイコンの行う処理動作を示すフロ−チャ−トである。
【図１２】実施の形態（５）に係る再生装置におけるマイコンの行う情報登録処理動作を示すフロ−チャ−トである。
【図１３】実施の形態（５）に係る再生装置におけるマイコンの行う処理動作を示すフロ−チャ−トである。
【符号の説明】
１０、１０Ａ〜１０Ｄ  再生装置
１１、１１Ａ〜１１Ｄ  マイコン
１２  ＣＤプレ−ヤ
１３  ＣＤ−Ｒ
１３ａ  ＣＤ
１５、１５Ａ  不揮発性メモリ
１５ａ、１５ｃ  収納媒体ＤＢ
１５ｂ  曲情報ＤＢ
１６  表示部
１７  操作部
【図１】
2004259307.tif 000003
【図２】
2004259307.tif 000004
【図３】
2004259307.tif 000005
【図４】
2004259307.tif 000006
【図５】
2004259307.tif 000007
【図６】
2004259307.tif 000008
【図７】
2004259307.tif 000009
【図８】
2004259307.tif 000010
【図９】
2004259307.tif 000011
【図１０】
2004259307.tif 000012
【図１１】
2004259307.tif 000013
【図１２】
2004259307.tif 000014
【図１３】
2004259307.tif 000015